【事件の表示】
　特願２０１６−５７２２２６「爆発物及びその他の特殊目的物の発見方法」拒絶査定不服審判事件〔平成２７年１１月１９日国際公開、ＷＯ２０１５／１７４８８８、平成２９年　５月２５日国内公表、特表２０１７−５１２４９０〕について、次のとおり審決する。
【結　論】
　本件審判の請求は、成り立たない。
【理　由】
第１　手続の経緯 
　本願は、２０１５年（平成２７年）３月２３日（パリ条約による優先権主張外国庁受理　２０１４年（平成２６年）５月１３日　ロシア）を国際出願日とする出願であって、その手続の経緯は以下のとおりである。
　平成２８年　３月　８日　　：翻訳文提出
　平成２９年　８月　７日付け：拒絶理由通知 
　平成２９年１１月１５日　　：意見書・手続補正書提出 
　平成３０年　１月１６日付け：拒絶理由通知（最後）
　平成３０年　８月２９日付け：拒絶査定
　平成３０年１２月１２日　　：審判請求書・手続補正書提出
　 
　 
第２　平成３０年１２月１２日にされた手続補正についての補正の却下の決定 
［補正の却下の決定の結論］ 
　平成３０年１２月１２日にされた手続補正（以下「本件補正」という。）を却下する。
　 
［理由］
１　本件補正について（補正の内容）
（１）本件補正後の特許請求の範囲の記載
　本件補正により、特許請求の範囲の請求項１は、次のとおり補正された。（下線は補正箇所を示す。）
「探知犬を使用した爆発物及びその他の特定目的物の発見方法であって、
　
呼吸センサー、ＥＣＧセンサー、ＥＥＧセンサー、センサー接続用アダプター、ポリグラフ増幅器、および、ＷｉＦｉ無線ネットワークを備えた、探知犬の精神生理学的指標を記録するためのシステムを探知犬に設置し、探知犬の近くかつ、ＷｉＦｉ無線ネットワークが有効な領域内に、ＷｉＦｉ無線ネットワークに接続可能な設定がなされた移動式コンピューターを配置するステップ、
　
検査対象物のにおいのサンプルを用いずに、精神生理学的指標を記録するためのシステムを使用して、通常の精神生理学状態にある探知犬の複合的な精神生理学的反応を検知、記憶するステップ、
　
検査対象物の探知検査を行う前に、嗅覚測定器により爆発物又は他の特定目的物の臭いの濃度が与えられ、探知犬が与えられた濃度のにおいのサンプルのそばに連れてこられ、探知犬の行動の変化によって、探知犬が臭いの感知について下した決定を判別し、同時に与えられた濃度の臭いを探知した探知犬の複合的な精神生理学的反応が前記移動式コンピューターの記憶装置に判別及び記憶されるステップ、
　
検査対象物の探知検査中に、探知犬に付き添うハンドラーによって、探知犬の行動が視覚的に観察され、与えられた濃度の臭いを探知した探知犬の現在の複合的な精神生理学的反応が前記移動式コンピューターの記憶装置に判別及び記憶されるステップ、
　
探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下すステップ、を含む
（２）本件補正前の特許請求の範囲
　本件補正前の、平成２９年１１月１５日にされた手続補正により補正された特許請求の範囲の請求項１の記載は次のとおりである。
「探知犬を使用した爆発物及びその他の特定目的物の発見方法であって、その際に前記探知犬による探知検査がハンドラーに付き添われて遂行されるものであり、前記探知犬の行動の変化が視覚的に追跡されるものであり、また前記探知犬の行動が変化した際に爆発物及びその他の特定目的物の存在が判定されるものであって、
対象物の探知検査を行う前に前記探知犬の爆発物及びその他の特定目的物の一定の濃度の臭いの感知に対する複合的な精神生理学的反応を判定し、
対象物の探知検査中に前記探知犬の行動が変化した際に、前記探知犬の複合的な精神生理学的反応を判定し、前記精神生理学的反応を、前もって判定された臭いを感知した際のものと比較し、及びその比較結果により前記探知犬が爆発物及び特定目的物を発見したか否かの結論を下す方法であって、
　前記精神生理学的反応の判定が、受動型の呼吸センサー、ＥＣＧセンサーにより、呼吸、心電図を測定し、能動型のＥＥＧセンサーにより脳波を測定することで行われること特徴とした発見方法。」
２　補正の適否　
（１）補正の目的について
　上記１の請求項１に係る本件補正の目的について検討する。
　ア　まず、本件補正前と本件補正後の請求項１の記載について比較すると、本件補正前の「その際に前記探知犬による探知検査がハンドラーに付き添われて遂行されるものであり」は、本件補正後の「検査対象物の探知検査中に、探知犬に付き添うハンドラーによって」と、表現が相違するものの、実質的に同じであって、以下同様に、
「前記探知犬の行動の変化が視覚的に追跡されるものであり」は、「探知犬の行動が視覚的に観察され」と、
「前記探知犬の行動が変化した際に爆発物及びその他の特定目的物の存在が判定されるものであって」は、「探知犬に付き添うハンドラーによって、探知犬の行動が視覚的に観察され、」「探知犬が爆発物及び／又はその他の特定目的物を発見したか否かの結論を下す」ことと、表現が相違するものの、実質的に同じである。
　また、本件補正前の「受動型の呼吸センサー、ＥＣＧセンサー」と、「能動型のＥＥＧセンサー」は、それぞれ、本件補正後の「呼吸センサー、ＥＣＧセンサー」と、「ＥＥＧセンサー」と実質的に同じものであって、「呼吸センサー、ＥＣＧセンサー」と「ＥＥＧセンサー」で測定されたものは、「精神生理学的反応」であるから、本件補正前の「前記精神生理学的反応の判定が、受動型の呼吸センサー、ＥＣＧセンサーにより、呼吸、心電図を測定し、能動型のＥＥＧセンサーにより脳波を測定することで行われること」は、本件補正後の「探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下す」ことと、表現が相違するものの、実質的に同じである。
　イ　また、補正後の請求項１に係る発明は、補正前の請求項１に係る発明について、以下（ア）〜（エ）の限定を加えている。　
　（ア）「呼吸センサー、ＥＣＧセンサー、ＥＥＧセンサー、センサー接続用アダプター、ポリグラフ増幅器、および、ＷｉＦｉ無線ネットワークを備えた、探知犬の精神生理学的指標を記録するためのシステムを探知犬に設置し、探知犬の近くかつ、ＷｉＦｉ無線ネットワークが有効な領域内に、ＷｉＦｉ無線ネットワークに接続可能な設定がなされた移動式コンピューターを配置するステップ」を加える。
　（イ）「検査対象物のにおいのサンプルを用いずに、精神生理学的指標を記録するためのシステムを使用して、通常の精神生理学状態にある探知犬の複合的な精神生理学的反応を検知、記憶するステップ」を加える。
　（ウ）「対象物の探知検査を行う前に前記探知犬の爆発物及びその他の特定目的物の一定の濃度の臭いの感知に対する複合的な精神生理学的反応を判定し」を、「検査対象物の探知検査を行う前に、嗅覚測定器により爆発物又は他の特定目的物の臭いの濃度が与えられ、探知犬が与えられた濃度のにおいのサンプルのそばに連れてこられ、探知犬の行動の変化によって、探知犬が臭いの感知について下した決定を判別し、同時に与えられた濃度の臭いを探知した探知犬の現在の複合的な精神生理学的反応が前記移動式コンピューターの記憶装置に判別及び記憶される」と、表現を変えた上で、そのうち、「探知犬の行動の変化によって、探知犬が臭いの感知について下した決定を判別し」との限定を加え、さらに、該「判別及び記憶される」ことについても、「探知犬の行動の変化によ」るものとの限定を加える。
　（エ）「対象物の探知検査中に前記探知犬の行動が変化した際に、前記探知犬の複合的な精神生理学的反応を判定し、前記精神生理学的反応を、前もって判定された臭いを感知した際のものと比較し、及びその比較結果により前記探知犬が爆発物及び特定目的物を発見したか否かの結論を下す」ことを、「検査対象物の探知検査中に、探知犬に付き添うハンドラーによって、探知犬の行動が視覚的に観察され、与えられた濃度の臭いを探知した探知犬の現在の複合的な精神生理学的反応が前記移動式コンピューターの記憶装置に判別及び記憶され」「、探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下す」ことと、表現を変えた上で、そのうち、比較される「対象物の探知検査中に前記探知犬の行動が変化した際に、前記探知犬の複合的な精神生理学的反応」について、上記（イ）で記憶した精神生理学的反応を追加して限定する。
　ウ　上記アの比較した記載事項、及び上記イの限定事項からみて、表現が相違する点において、明瞭でない記載の釈明を目的とする補正事項があるとしても、補正後の請求項１に係る発明は、補正前の請求項１に係る発明の発明特定事項をすべて含み、さらに、構成を付加限定する補正を行うものであって、かつ、補正前の請求項１に記載された発明と補正後の請求項１に記載された発明の産業上の利用分野及び解決しようとする課題が同一であるので、上記請求項１に係る本件補正は、特許法第１７条の２第５項第２号の特許請求の範囲の減縮を目的とする補正事項を含むものである。
　そこで、本件補正後の請求項１に記載される発明（以下「補正発明」という。）が特許法第１７条の２第６項において準用する同法第１２６条第７項の規定に適合するか（特許出願の際独立して特許を受けることができるものであるか）について以下に検討する。
　
（２）補正発明
　補正発明は、上記１（１）に記載したとおりのものである。
（３）引用文献の記載事項
　ア　引用文献１
　原査定の拒絶の理由に引用され、本願の出願前に頒布された刊行物である、米国特許出願公開第２００８／０１６３６７１号明細書（以下「引用文献１」という。）には、次の記載がある（下線は審決で付した。以下同様。また、以下の翻訳文は当審で作成した。）。
　（ア）段落［０００１］
「１．Field of the Invention」
（翻訳文：１．発明の分野）
　（イ）段落［０００２］
「The present invention pertains to the art of detection systems and, more particularly, to a detection system that employs trained/in training animals electronically linked to a handler/analyzer.」
（翻訳文：この発明は探知システム、特に、ハンドラー/分析器と電子的に連結された訓練された／訓練中の動物を用いる探知システムに関する。）
　（ウ）段落［０００３］
「２．Discussion of the Prior Art」
（翻訳文：２．従来の技術）
　（エ）段落［０００４］
「The ability to rapidly and effectively detect target substances is a foundational effort of law enforcement and commercial efforts around the world. Trafficking of narcotics, other banned substances and even people is on the rise. Drugs, weapons, currency, banned foodstuffs, chemicals and/or illegal aliens are transported across national borders on a daily basis. In addition to cross border trafficking, many illegal substances are produced/grown within national borders.・・・」
（翻訳文：迅速かつ効果的に標的物質を探知する能力は、法律の施行の基本的な取り組みや、世界中の商業的取り組みである。麻薬、その他の禁止物質、人の違法な売買は、増加している。薬、武器、通貨、禁止された食料、化学物質そして／あるいは不法在留外国人が、毎日、国境を超えてやって来る。国境を越えた違法取引に加えて、多くの非合法の物質が国境内で生産され／増加している。）
　（オ）段落［０００５］
「・・・The method used in common by all these agencies and organizations is the use of detector dogs or canines trained to identify target odors associated with banned substances, other illegal activity or substances of interest.」
（翻訳文：これらのすべての政府機関や団体において一般的に使用される方法は、禁止物質、その他の違法行為、重大な物質に関連した対象臭を識別するために訓練された探知犬または犬を使用することである。）
　（カ）段落［０００７］
「Equally as important, all dogs are trained by humans to perform their conditioned response to odor stimulus. Training, especially initial training, is conducted on leash, with the trainer observing the dog carefully so as to time reinforcement or reward simultaneously with the initial change in behavior by the dog. When those initial changes are not observed or are misinterpreted, the reinforcement given to the dog is inaccurate or untimely. Either result creates confusion or erroneous training for the dog, increasing the time required to train the dog, creating the opportunity for spontaneous recovery of inaccurate training and in some case causing the dog to become a training failure.」
（翻訳文：同様に重要なことは、すべての犬はにおいの刺激に条件反射を行なうことができるように人によって訓練される。トレーニング、特に最初のトレーニングは、犬の行動の最初の変化と同時に褒美を与えて反応を促すように、トレーナーが慎重に注意深く犬を観察しながら、ひもに繋いで訓練される。これらの最初の変化が気付かれないか、あるいは誤解されるならば、犬の反応を促すことは、不正確か、時期尚早であった。結果的に、犬に混乱と誤った訓練を与え、犬を訓練するのに必要な時間を増大させ、誤った訓練を自発的に回復する機会を増やし、場合によっては、訓練の失敗を引き起こす。）
　（キ）段落［０００８］
「Based on the above, there exists a need for improvements in using canines, or other animals, as detection systems. More specifically, there exists a need for a detection system that aides a handler's/trainer's understanding and interpretation of response signals exhibited by the trained canine or other animal.」
（翻訳文：上記に基づいて、犬、あるいは他の動物を、探知システムとして用いることにおいて改良が必要である。もっと特定すると、訓練された犬あるいは他の動物がみせる反応の合図に対して、ハンドラーやトレーナーの理解や判断を助ける探知システムが必要である。）
　（ク）［０００９］
「The present invention is directed to 
a detection system which uses the biological responses of conditioned
canines
The canine is trained to search for target odors that originate from various substances such as drugs, weapons, chemicals, people and the like
（翻訳文：本発明は、
訓練された
犬の生物学的な反応を用いた探知システム
薬剤、武器、化学物質、人等のような種々の物質から生じる対象臭を捜すように訓練され
　（ケ）段落［００１０］
「The portable electronics package is linked to the remote unit through a wireless interface. Preferably, the portable electronics package includes a position indication unit, a communications unit and a sensor unit. The position indicating unit is most preferably a GPS, which, in accordance with one aspect of the invention, is supplemented with an Inertial Navigation System or INS unit for increased accuracy. Alternative position indicating systems, such as RF triangulation, can also be used. The communications unit includes both a local portion for communicating with the trained/in training canine and a remote portion for communicating with the remote unit. The sensor unit preferably includes a biometric sensor that receives input from the canine. In addition, the sensor unit may also include a body position sensor. Most preferably, the sensor unit includes both the biometric sensor and body position sensor. In addition to the above, the sensor unit may also be provided with additional sensor feeds, such as video signals. In any event, the body position sensor identifies changes in the canines posture, such as sitting, laying or formation, which are indicative of a trained/in-training response to target odor. The biometric sensor identifies respiratory patterns, temperature variations and the like, which would be indicative of both trained/in-training and natural responses to target odors. The data is either stored in memory or passed to the remote unit for analysis.」
（翻訳文：携帯電子機器パッケージは無線インターフェースを介してリモートユニットに接続されている。好ましくは、携帯電子機器パッケージは、位置表示ユニット、通信ユニットとセンサーユニットを含む。この位置表示ユニットは、本発明の一態様によれば、より精度を上げるために、慣性誘導システムまたは慣性誘導システムユニットが追加されたＧＰＳが最も好ましい。ＲＦ（高周波）三角測量のような代わりの位置表示システムもまた用いることができる。通信ユニットは、訓練された／訓練中の犬と通信するローカル部と、リモートユニットと通信する遠隔部の両方を含む。センサーユニットは、好ましくは、犬からの入力を受信する生体センサーを含む。また、センサーユニットは身体位置センサーを含むこともできる。最も好ましくは、センサーユニットは生体センサーと身体位置センサーの両方を備える。上記に加えて、センサーユニットは、ビデオ信号を送信する追加のセンサーを備えてもよい。いずれにしても、身体位置センサーは、対象臭に対する訓練された／訓練中の反応を示す、座る、横たわる等の犬の姿勢の変化を識別する。生体センサーは、対象臭に対する訓練された／訓練中及び天然の反応を表すような、呼吸パターンや体温変化などを識別します。データはメモリに記憶されるか、分析のためにリモートユニットに送られる。）
　（コ）段落［００１１］
「・・・The remote unit enables a system user, such as a handler, to effectively interpret data received from the trained/in training canine for an indication of the presence of a target odor. 
The data
is compared against the detection algorithms
The remote unit can also be linked to a central database to download, upgrade and refine the detection algorithms and/or seek additional experience/expertise interpreting signals received from the canine.」
（翻訳文：リモートユニットは、ハンドラーなどのシステムユーザーに、対象臭の存在を示すための、訓練された／訓練中の犬から受け取ったデータを、効果的に解析することができるようにする。センサーユニットから得られたデータは、訓練された／訓練中の犬が対象臭を感じたかどうか決定するために
検知アルゴリズムを基準にして比較される
また、リモートユニットは、検知アルゴリズムをダウンロード、アップグレード及び洗練するために、及び／又は、犬から受信した信号を解釈する追加の経験／知識を得るために、中央データベースに接続することができる。）
　（サ）段落［００１６］
「With initial reference to  FIG. 1 , a detection system constructed in accordance with the present invention is generally indicated at  2 . 
Detection system  2  includes a mobile detection unit  4  in the form of one or more trained/in training canines illustrated at  5  and  6  carrying respective portable electronics packages  8  and  9 
That is, electronics package  8  is attached to a collar  12  on canine  5 , while electronics package  9  is attached to a body harness  14  mounted to canine  6
In any case, each electronics package  8 ,  9  is linked to a remote unit  16 . More specifically, 
each electronic package  8 ,  9  is linked to remote unit  16  through 
wireless communication protocols
（翻訳文：まず、図１を参照すると、本発明に従って構成された探知システムは、一般的に２で示される。
探知システム２は、携帯電子機器パッケージ８、９を
持ち運ぶ、５、６で示される１又は複数の訓練された／訓練中のイヌの形態となる携帯検知ユニット４を含む
電子機器パッケージ８は、犬５の首輪１２に取り付けられ、他方、電子機器パッケージ９は、イヌ６のハーネス１４に取り付けられている
いずれの場合も、各電子機器パッケージ８、９がリモートユニット１６に接続されている。具体的には、
各電子機器パッケージ８、９は、
無線通信プロトコルを介して、リモートユニット１６に接続され
　（シ）段落［００１７］
「At this point, a detailed description will be made of portable electronics package  8  provided on canine  5  as depicted in  FIG. 2  with an understanding that electronics package  9  is correspondingly constructed. As shown, 
electronics package  8  includes a controller or CPU  26
controller  26  is also linked to a sensor unit  48  having a first or body position sensor  50  and a second or biometric sensor  54
position sensor  50  signals remote unit  16  whether canine  5  is standing, sitting or laying down as well as other body postures, while biometric sensor  54  provides input regarding biometric signals from canine  5
 such as respiratory patterns, temperature variations and the like
to detect explosives
canine  5  could be trained to detect numerous other target odors
the data is 
stored in memory  27
the detection algorithms can be continually refined/updated
remote unit  16  is constituted by a handheld device, such as a PDA, Blackberry
TM
 or the like
（翻訳文：ここで、図２に図示されているように、犬５に備えられた携帯電子機器パッケージ８が詳細に説明され、電子機器パッケージ８が同様に構成されることが理解できる。図示のように、
電子機器パッケージ８はコントローラー又はＣＰＵ２６を含んでおり、ＣＰＵ
コントローラー２６は、第１に身体位置センサー５０を、第２に生体センサー５４を有するセンサーユニット４８に連結され
身体位置センサー５０は、犬５が立っていること、座っていること、横になっていることと同様のその他の姿勢の変化の信号をリモートユニット１６に送り、生体センサー５４は、呼吸パターンや体温変化等の犬５からの生体信号を与える
爆発物、
を発見するため
対象臭を検出するように訓練することができる
データは、
メモリ２７に保存され
検知アルゴリズムが頻繁に改良／更新され
リモートユニット１６は、ＰＤＡ、ブラックベリー等の携帯端末で構成される
　（ス）段落［００１９］
「・・・For example, 
when in the presence of a target odor, canine  5  may become extremely active or signal through some other manner, that a target odor is present. However, on occasion, handler  70  may misinterpret signals exhibited by canine  5 , or in the event that line-of-sight is lost, simply not see the signals. Therefore, body position sensor  50  can signal whether canine  5  has sat or laid down or otherwise indicated through a change in posture or behavior the presence of a target odor. Biometric sensors may provide other indicators of the presence of target odor.
canine  5  might provide a false indication of a target odor 
（翻訳文：例えば、
対象臭が存在するとき、犬５は非常に活発になるか、あるいは、何らかの態度を通して、対象臭が存在しているというシグナルを出すかもしれない。しかしながら、時々、ハンドラー７０が犬５によって示されたシグナルを誤解するか、あるいは目をそらした際、ただシグナルを見ていないかもしれない。そのために、身体位置センサー５０は、犬５が座ったのか、横になったのか、あるいは姿勢や行動の変更を通して、対象臭の存在を示しているのかを、合図することができる。生体センサーが対象臭の存在の他の指標を提供するかもしれない
犬５が
対象臭の偽の兆候を与えるかもしれない
　（セ）段落［００２０］
「
Remote unit  16  receives and stores data from sensors  50  and  54 . The data is processed by pre-stored software or detection algorithms to determine whether canine  5  has had a physical or behavioral reaction to a target odor.
Thus, in addition to determining the posture of canine  5  through body position sensor  50 , biometric sensor  54  is employed to sense respiratory or sniffing patterns, heart rate, body temperature and the like
a quick glance at remote unit  16  can provide a reliable confirmation, thereby increasing the handler's confidence that a target odor is indicated
（翻訳文：
リモートユニット１６は、センサー５０及び５４からのデータを受信して格納する
データは、犬５が対象臭への身体的または行動的な反応を有していたかどうかを決定するために、予め格納されたソフトウエアまたは検知アルゴリズムによって処理される
それで、身体位置センサー５０を通して犬５の姿勢を決定することに加えて、生体センサー５４が呼吸または鼻で吸うパターン、心拍数、体温等を感じるために利用され
リモートユニット１６を一瞥しただけで、信頼できる確認が得られ、対象臭を知らせているというハンドラーの信頼を高めることとなる
　(ソ）段落［００２１］
「At this point it should be realized that experienced dog handlers listen to their dogs for characteristic patterns of sniffing that indicate the presence of a target odor. Sniff patterns are established with the dog's active search for target odors and these patterns change based on the dog's proximity to a target odor. Trained/in training canines exhibit respiratory and distinct sniffing patterns when in the proximity of a target odor. Both a temperature differential of expired and inhaled air and a sound of sniffing are employed to interpretive sniffing patterns under various conditions.・・・」
（翻訳文：この点で、経験豊かな犬のハンドラーが、対象臭の存在を示す鼻で吸う特有のパターンとして、犬に耳を傾けるようになることが達成される。鼻で吸うパターンが対象臭の犬の積極的な捜索で確立され、そしてこれらのパターンは、対象臭に犬が近づくことに基づいて変化する。訓練された／訓練中の犬は、対象臭に接近したとき、呼吸や明確な鼻で吸うパターンをみせる。呼気及び吸気された空気の温度差、及び鼻で吸う音が、種々の条件の下で、鼻で吸うパターンの検出に利用される。・・・）
　（タ）上記（ア）ないし（ソ）からみて、引用文献１には、次の発明（以下「引用発明１」という。）が記載されているものと認める。
「爆発物、薬剤、武器、化学物質、人等のような種々の物質から生じる対象臭を捜すように訓練された犬の生物学的な反応を用いた探知方法であって、
　探知システム２は、携帯電子機器パッケージ８、９を持ち運ぶ、訓練された／訓練中の犬５、６の形態となる携帯検知ユニット４を含み、
　携帯電子機器パッケージ８は、犬５の首輪１２に取り付けられ、他方、電子機器パッケージ９は、犬６のハーネス１４に取り付けられ、いずれの場合も、各電子機器パッケージ８、９は、無線通信プロトコルを介して、リモートユニット１６に接続されており、
　電子機器パッケージ８はコントローラー又はＣＰＵ２６を含んでおり、コントローラー２６は、身体位置センサー５０、生体センサー５４を有するセンサーユニット４８に連結され、
　身体位置センサー５０は、犬５が立っていること、座っていること、横になっていることと同様のその他の姿勢の変化の信号をリモートユニット１６に送り、
　生体センサー５４は、呼吸パターンや体温変化等の犬５からの生体信号を与えるものであって、
　リモートユニット１６は、ＰＤＡ、ブラックベリー等の携帯端末で構成されており、
　リモートユニット１６において、センサー５０及び５４からのデータを受信して格納され、
　データは、犬５が対象臭への身体的または行動的な反応を有していたかどうかを決定するために、予め格納され、頻繁に改良／更新されるソフトウエアまたは検知アルゴリズムによって処理され、検知アルゴリズムを基準にして比較され、それで、身体位置センサー５０を通して犬５の姿勢を決定することに加えて、生体センサー５４が呼吸または鼻で吸うパターン、心拍数、体温等を感じるために利用され、
　対象臭が存在するとき、犬５は非常に活発になるか、あるいは、何らかの態度を通して、対象臭が存在しているというシグナルを出すかもしれないが、時々、ハンドラー７０が犬５によって示されたシグナルを誤解するか、あるいは目をそらした際、ただシグナルを見ていないかもしれないので、身体位置センサー５０は、犬５が座ったのか、横になったのか、あるいは姿勢や行動の変更を通して、対象臭の存在を示しているのかを、合図することができ、生体センサーが対象臭の存在の他の指標を提供するかもしれず、また、犬５が対象臭の偽の兆候を与えるかもしれないことから、リモートユニット１６を一瞥しただけで、信頼できる確認が得られ、対象臭を知らせているというハンドラーの信頼を高めることとなる、
　探知方法。」
　イ　引用文献２
　原査定の拒絶の理由に引用され、本願の出願前に頒布された刊行物である、特開２００８−２７２１６３号公報（以下「引用文献２」という。）には、次の記載がある。
　（ア）「【００２５】
実施の形態１．
　図１は実施の形態１に係る
生体情報モニターシステム
生体情報送信端末１０は、
動物
被験体１の生体情報を取得して当該生体情報を送信するもの
【００２６】
　図２は実施の形態１に係る生体情報送信端末の構成図である。図２において、
生体情報送信端末１０
被験体１の
心電図、呼吸波形、脳波などをモニターするための生体信号
を検出するセンサ部１１
　（イ）「【００６７】
　尚、上記実施の形態１及び２においては、
被験体１として
犬
　ウ　引用文献３
　原査定の拒絶の理由に引用され、本願の出願前に頒布された刊行物である、特開２００８−１３１８６２号公報には、次の記載がある。
　（ア）「【００２２】
　ここで、ペットとは、
犬
ペット
【００２３】
　
検出手段２０は
ペットの状態
呼吸数、脳波、心電位、
を検出する手段
　（イ）「【００２６】
　
心理状態識別手段３３は、検出手段２０から出力される状態データ
に基づき、ペットの心理状態を識別する
　（ウ）「【００３４】
　図４において、
ペット３００に接触する検出手段２０は
ペット３００の
呼吸数、
心電位、脳波、
リアルタイムに検出するためのセンサ
【００３５】
　また、ペット３００を撮像する検出手段２０は、ペット施設２００に配置した撮像装置２２などであって、ペット３００の動画像を撮像することで、ペットの動作、運動量、位置、行動範囲、習性又は性格を検出する。
【００３６】
　受信機２１ｂで受信したペット３００の状態データ、撮像装置２２で撮像したペット３００の状態データを、インターネット網６０を介して管理サーバー３０に送信される。なお、図１において、管理サーバー３０は、種別特徴格納手段３１、種別特徴抽出手段３２、心理状態識別手段３３、生理状態識別手段３４、個別特徴判別手段３５、処方格納手段３６及び処方判別手段３７に相当し、入力手段１０は、管理者端末装置７０の図示しないキーボード又はマウスに相当する。」
　エ　引用文献４
　原査定の拒絶の理由に引用され、本願の出願前に頒布された刊行物である、特開２００８−１７３２２０号公報には、次の記載がある。
　（ア）「【技術分野】
【０００１】
　本発明は、
食物、麻薬、危険物、テロ爆発物
等の目標探索対象
犬等の動物の嗅覚に基づく脳波を利用して探索するようにした探索装置
　（イ）「【００１７】
　図１は、本発明に係る探索装置の一実施形態を示している。この
探索装置は
脳波センサ１０を備えている
【００１８】
　当該脳波センサ１０は、センサ基板（図示しない）と、このセンサ基板の裏面から延出する複数の体表面電極（図示しない）とを有している。従って、脳波センサ１０は、上記各体表面電極を犬Ｄの頭部Ｄｈの外表面に当てるようにして、上記センサ基板にて、犬Ｄの頭部Ｄｈに装着される。これにより、当該脳波センサ１０は、その複数の体表面電極でもって、犬Ｄの嗅脳の脳波を検出し、検出脳波信号を発生する。
【００１９】
　また、
当該探索装置は
マイクロコンピュータ２０
を備えている
【００２０】
　
マイクロコンピュータ２０は
脳波センサ１０の検出脳波信号に基づき、脳波解析処理、β波含有量作成処理、作成β波含有量と基準β波含有量との比較判定処理、
【００２１】
　ディスプレイ４０は、マイクロコンピュータ２０の出力に基づき駆動回路３０により駆動されて表示データを表示する。なお、本実施形態では、マイクロコンピュータ２０、駆動回路３０及びディスプレイ４０が、携帯用ノート型パーソナルコンピュータでもって構成されている。従って、脳波センサ１０のマイクロコンピュータ２０に対する接続端子は、マイクロコンピュータ２０のＵＳＢポートに接続される。
【００２２】
　以上のように構成した本実施形態において、マイクロコンピュータ２０が、図２のフローチャートに従い探索プログラムの実行を開始する。ここで、脳波センサ１０が、図１にて示すごとく、犬Ｄの頭部Ｄｈに装着されているものとする。このような状態で、
探索者が、目標探索対象Ｍを探索するために、犬Ｄを連れて行動する
【００２３】
　このような行動の過程においては、犬Ｄによりその嗅覚でもって感知される臭いが、順次、犬Ｄの嗅細胞から当該犬Ｄの嗅脳に信号として伝達され、外部へ伝搬可能な脳波となる。これに伴い、
犬Ｄの脳波の全体が脳波センサ１０により検出されて検出脳波信号として発生される
【００２４】
　しかして、上記探索プログラムがステップ５０に達すると、
脳波センサ１０からマイクロコンピュータ２０に検出脳波信号が入力される
脳波解析処理がなされる
入力済みの検出脳波信号に基づき周波数解析でもってなされる
周波数成分と脳波周波数との関係が得られる
【００２５】
　ついで、ステップ５２において、
脳波解析データ作成処理がなされる
脳波解析データが、
脳波解析の結果に基づき作成される
周波数成分と脳波周波数との関係
に基づきβ波含有量が算出される
【００２６】
　然る後、次のステップ５３において、上述の
作成β波含有量が基準β波含有量よりも大きいか否かが判定される
基準β波含有量は次のようにして作成されている
【００２７】
　まず、
何ら訓練をしていない
雑種犬の周囲に感知すべき対象物がないときの当該各雑種犬の脳波を計測し周波数解析を行った
計測脳波を、
生体情報解析プログラム
でもって周波数解析による波形解析を行った
周波数成分と脳波周波数との関係が得られた
周波数成分と脳波周波数との関係に基づき基準β波含有量
を求め
【００２８】
　しかして、上述の
作成β波含有量が基準β波含有量よりも大きければ
目標探索物の臭い有りとの決定処理がなされる
【００２９】
　すると、ステップ５５において、目標探索対象Ｍであることを表す表示データの作成処理がなされる。この作成処理では、目標探索対象Ｍ、即ちドッグフードであることを表す表示データが作成される。これに伴い、ステップ５６において、ステップ５５で作成した表示データが第１出力信号として発生され、駆動回路３０に出力される。
【００３０】
　このように第１出力信号が駆動回路３０に出力されると、ディスプレイ４０は、駆動回路３０により駆動されて、上記第１出力信号の内容、即ち、目標探索対象Ｍであるドッグフードを表示する。これにより、探索者は、探索対象Ｍをドッグフードとして視認し得る。
【００３１】
　一方、上述のステップ５３において、上述の作成β波含有量が基準β波含有量よりも大きくなければ、ＮＯと判定される。これに伴い、ステップ５７において、目標探索対象Ｍの臭い無しとの決定処理がなされる。このことは、上述した行動の過程では、目標探索物Ｍであるドッグフードが無いことを意味する。
【００３２】
　ついで、ステップ５８において、目標探索対象Ｍ無しを表す表示データの作成処理がなされる。ここでは、探索対象Ｍであるドッグフードが無いことを表す表示データが作成される。これに伴い、ステップ５９において、ステップ５８で作成した表示データが第２出力信号として発生され、駆動回路３０に出力される。
【００３３】
　このように第２出力信号が駆動回路３０に出力されると、ディスプレイ４０は、駆動回路３０により駆動されて、上記第２出力信号の内容、即ち、探索対象Ｍであるドッグフードが無いことを表示する。これにより、探索者は、探索対象Ｍであるドッグフードが無い旨視認し得る。」
（４）引用発明１との対比
　補正発明と引用発明１とを対比する。（下線は、審決で付した。）
　ア　引用発明１の「対象臭を探すように訓練された犬」、「爆発物」、「薬剤、武器、化学物質、人」、「呼吸パターン」である「犬からの生体信号を与える」「生体センサー５４」、「ＰＤＡ、ブラックベリー等の携帯端末で構成され」た「リモートユニット１６」は、それらの構成及び機能からみて、補正発明の「探知犬」、「爆発物」、「その他の特定目的物」、「呼吸センサ−」、「移動式コンピューター」にそれぞれ相当する。
　引用発明１の「無線通信プロトコル」と、補正発明の「ＷｉＦｉ無線ネットワーク」とは、「無線ネットワーク」で共通する。
　引用発明１の「爆発物、薬剤、武器、化学物質、人等のような種々の物質から生じる対象臭」は、対象臭を探すように訓練する時には、その臭いがどの程度であるのかを理解していないと、犬の反応との関連性が検討できないから、その濃度を測定しておくことは、当業者に自明な事項である。よって、引用発明１の「爆発物、薬剤、武器、化学物質、人等のような種々の物質から生じる対象臭」は、対象臭を探すように訓練する時、つまり「検査対象物の探知検査を行う前に」おいては、補正発明の「嗅覚測定器により爆発物又は他の特定目的物の臭いの濃度が与えられ」ることに相当する。
　イ　引用発明１の「爆発物、薬剤、武器、化学物質、人等のような種々の物質から生じる対象臭を捜すように訓練された犬の生物学的な反応を用いた探知方法」は、補正発明の「探知犬を使用した爆発物及びその他の特定目的物の発見方法」に相当する。
　ウ　補正発明の「精神生理学的指標」についてみると、本件特許明細書には、「【００１１】同様に、２００３年８月２７日公開、特許文献９、特許文献１０「人の
精神生理学的指標の測定機器
呼吸数形
心電図
ＥＣＧ
脳波図
ＥＥＧ
のセンサー
　そして、引用発明１において、「リモートユニット１６において、センサー５０及び５４からのデータを受信して格納され」ており、「データは、」「予め格納され、頻繁に改良／更新されるソフトウエアまたは検知アルゴリズムによって処理され」ることから、「リモートユニット１６」には、「呼吸パターンや体温変化等」を記録する要素を備えていることは明らかである。
　また、引用発明１において、「ハンドラー７０が犬５によって示されたシグナルを誤解するか、あるいは目をそらした際、ただシグナルを見ていないかもしれない」こと、及び、「リモートユニット１６を一瞥しただけで、信頼できる確認が得られ」ることからみて、ハンドラー７０は犬５の近くに居り、かつ、ハンドラー７０は携帯端末で構成されたリモートユニット１６を持ち運んでいるといえるから、リモートユニット１６は、犬５の近くにあるともいえる。
　さらに、引用発明１の「携帯電子機器パッケージ８、９は、無線通信プロトコルを介して、リモートユニット１６に接続されて」いることは、「携帯電子機器パッケージ８、９」と「リモートユニット１６」とは、無線通信プロトコルの有効な領域内にあって、無線通信プロトコルで接続可能な設定がなされているといえる。
　よって、引用発明１の、「無線通信プロトコルを介して、リモートユニット１６に接続されており、」「コントローラー又はＣＰＵ２６を含んでおり、コントローラー２６は、生体センサー５４を有するセンサーユニット４８に連結され、」「生体センサー５４は、呼吸パターンや体温変化等の犬５からの生体信号を与えるものであ」る「携帯電子機器パッケージ８は、犬５の首輪１２に取り付けられ」ていることと、補正発明の「呼吸センサー、ＥＣＧセンサー、ＥＥＧセンサー、センサー接続用アダプター、ポリグラフ増幅器、および、ＷｉＦｉ無線ネットワークを備えた、探知犬の精神生理学的指標を記録するためのシステムを探知犬に設置し、探知犬の近くかつ、ＷｉＦｉ無線ネットワークが有効な領域内に、ＷｉＦｉ無線ネットワークに接続可能な設定がなされた移動式コンピューターを配置する」こととは、「呼吸センサーおよび無線ネットワークを備えた、探知犬の精神生理学的指標を記録するためのシステムを探知犬に設置し、探知犬の近くかつ、無線ネットワークが有効な領域内に、無線ネットワークに接続可能な設定がなされた移動式コンピューターを配置する」点で共通する。
　エ　引用発明１において、「探知犬」が対象臭を探すように訓練する時は、「検査対象物の探知検査を行う前」といえ、また、引用発明１において、「対象臭を捜すように訓練され」ることは、対象臭のそばに連れてこられることといえる。
　よって、引用発明１の「探知犬」が、「爆発物、薬剤、武器、化学物質、人等のような種々の物質から生じる対象臭を捜すように訓練され」ることは、補正発明の「検査対象物の探知検査を行う前に、嗅覚測定機により爆発物又は他の特定目的物の臭いの濃度が与えられ、探知犬が与えられた濃度のにおいのサンプルのそばに連れてこられ」ることに相当する。
　また、引用発明１において、「探知犬」が、「対象臭が存在するとき、犬５は非常に活発になるか、あるいは、何らかの態度を通して、対象臭が存在しているというシグナルを出すかもしれないが、時々、ハンドラー７０が犬５によって示されたシグナルを誤解するか、あるいは目をそらした際、ただシグナルを見ていないかもしれないので、身体位置センサー５０は、犬５が座ったのか、横になったのか、あるいは姿勢や行動の変更を通して、対象臭の存在を示しているのかを、合図することができ」ることは、補正発明における「検査対象物の探知検査を行う前」での「探知犬の行動の変化によって、探知犬が臭いの感知について下した決定を判別」することに相当し、さらに、引用発明１の「リモートユニット１６において、センサー５０及び５４からのデータを受信して格納され、データは、犬５が対象臭への身体的または行動的な反応を有していたかどうかを決定するために、予め格納され、頻繁に改良／更新されるソフトウエアまたは検知アルゴリズムによって処理され、検知アルゴリズムを基準にして比較され」ることは、補正発明の「同時に与えられた濃度の臭いを探知した探知犬の複合的な精神生理学的反応が前記移動式コンピューターの記憶装置に判別及び記憶される」ことに相当する。
　オ　引用発明１において、「探知犬」による探知は、補正発明の「検査対象物の探知検査中」といえる。
　引用発明１において、「探知犬」が、「対象臭が存在するとき、犬５は非常に活発になるか、あるいは、何らかの態度を通して、対象臭が存在しているというシグナルを出すかもしれないが、時々、ハンドラー７０が犬５によって示されたシグナルを誤解するか、あるいは目をそらした際、ただシグナルを見ていないかもしれない」ことは、補正発明の「検査対象物の探知検査中に、探知犬に付き添うハンドラーによって、探知犬の行動が視覚的に観察され」ることに相当し、引用発明１の「リモートユニット１６において、センサー５０及び５４からのデータを受信して格納され、データは、犬５が対象臭への身体的または行動的な反応を有していたかどうかを決定するために、予め格納され、頻繁に改良／更新されるソフトウエアまたは検知アルゴリズムによって処理され、検知アルゴリズムを基準にして比較され」ることは、補正発明の「与えられた濃度の臭いを探知した探知犬の現在の複合的な精神生理学的反応が前記移動式コンピューターの記憶装置に判別及び記憶される」ことに相当する。
　カ　引用発明１の「リモートユニット１６において、センサー５０及び５４からのデータを受信して格納され、データは、犬５が対象臭への身体的または行動的な反応を有していたかどうかを決定するために、予め格納され、頻繁に改良／更新されるソフトウエアまたは検知アルゴリズムによって処理され、検知アルゴリズムを基準にして比較され」ることは、補正発明の「探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下す」ことに相当する。
　キ　上記アないしカからみて、補正発明と引用発明１とは、以下の点で一致している。
〔一致点〕
　探知犬を使用した爆発物及びその他の特定目的物の発見方法であって、
　呼吸センサー、および、無線ネットワークを備えた、探知犬の精神生理学的指標を記録するためのシステムを探知犬に設置し、探知犬の近くかつ、無線ネットワークが有効な領域内に、無線ネットワークに接続可能な設定がなされた移動式コンピューターを配置するステップ、
　検査対象物の探知検査を行う前に、嗅覚測定器により爆発物又は他の特定目的物の臭いの濃度が与えられ、探知犬が与えられた濃度のにおいのサンプルのそばに連れてこられ、探知犬の行動の変化によって、探知犬が臭いの感知について下した決定を判別し、同時に与えられた濃度の臭いを探知した探知犬の複合的な精神生理学的反応が前記移動式コンピューターの記憶装置に判別及び記憶されるステップ、
　検査対象物の探知検査中に、探知犬に付き添うハンドラーによって、探知犬の行動が視覚的に観察され、与えられた濃度の臭いを探知した探知犬の現在の複合的な精神生理学的反応が前記移動式コンピューターの記憶装置に判別及び記憶されるステップ、
　探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下すステップ、を含む発見方法。」
　また、補正発明と引用発明１とは、次の３点で相違している。
〔相違点１〕
　補正発明は、ＥＣＧセンサー、ＥＥＧセンサー、センサー接続用アダプター、ポリグラフ増幅器、を備えているのに対し、引用発明１は、それらを備えているかどうか特定がない点。
〔相違点２〕
　無線ネットワークが、補正発明では、ＷｉＦｉ無線ネットワークであって、移動式コンピューターが、ＷｉＦｉ無線ネットワークが有効な領域内に、ＷｉＦｉ無線ネットワークに接続可能な設定がなされているのに対し、引用発明１では、ＷｉＦｉ無線ネットワークであるか特定されておらず、そして、移動式コンピューターが、有効な領域がＷｉＦｉ無線ネットワーク内かどうか不明であり、接続可能な設定がなされているものがＷｉＦｉ無線ネットワークかどうか不明な点。
〔相違点３〕
　補正発明は、「検査対象物のにおいのサンプルを用いずに、精神生理学的指標を記録するためのシステムを使用して、通常の精神生理学状態にある探知犬の複合的な精神生理学的反応を検知、記憶するステップ」を含んでいるのに対し、引用発明１は、そのようなステップを含んでおらず、それに伴い、引用発明１は、「探知犬の現在の複合的な精神生理学的反応を、以前にコンピューターの記憶装置に記憶していたものと比較し、反応を比較した結果により、探知犬が爆発物及び／又はその他の特定目的物を発見したか否かの結論を下すステップ」において、引用発明１が含んでいない上記ステップで検知、記憶した精神生理学的反応を比較していない点。
（５）判断
　上記相違点１〜相違点３について検討する。
　ア　相違点１
　引用文献２または３に記載されているように、生態情報を得る手段として、ＥＣＧセンサーやＥＥＧセンサーを用いることは、本願出願前に周知の技術である。
　加えて、引用文献４には、爆発物等を犬の臭覚に基づく脳波を利用して探索する探索装置において、脳波センサーを用いることが記載されている。
　また、センサーを用いた電気通信機器の分野において、センサーを接続するためのアダプターやセンサーの信号の増幅器を備えることは、例示するまでもなく、本件出願前に慣用的に用いられていた手段に過ぎない。
　よって、引用発明１において、上記周知技術及び慣用手段を適用することにより、相違点１に係る補正発明の構成とすることは、当業者が適宜なし得たことに過ぎない。
　イ　相違点２
　無線通信手段として、ＷｉＦｉ無線ネットワークを用いることは、例示するまでもなく、本件出願前に慣用的に用いられた手段に過ぎない。そして、該慣用手段であるＷｉＦｉ無線ネットワークを用いることによって、移動式コンピューターの有効な領域が、ＷｉＦｉ無線ネットワーク内となり、移動式コンピューターに接続可能な設定であるものはＷｉＦｉ無線ネットワークとなることは、必然的に採用されるべきことである。
　したがって、引用発明１において、上記慣用手段を用いることにより、相違点２に係る補正発明の構成とすることは、当業者が適宜なし得たことに過ぎない。
　ウ　相違点３
　引用文献４には、爆発物等を犬の臭覚に基づく脳波を利用して探索する探索装置において、脳波センサーを用いることが記載されているところ、感知すべき対象物がないときの犬の脳波センサーから検出される検出脳波信号を解析して得られた基準β波含有量と、目標探索対象を探索するために、犬を連れて行動し、犬の脳波センサーから検出される検出脳波信号を解析して得られた作成β波含有量とを対比することが記載されている。
　引用発明１及び引用文献４に記載の探索装置とは、犬が爆発物等の臭いの存在を知覚した際の生体センサーからの信号を解析するものであり、引用発明１においても、犬が対象臭の偽の兆候、例えば、対象物がないにもかかわらず、探知したような行動を示すかもしれないことから、犬が検査対象物を探知した場合と探知していない場合を区別することが必要であることは明らかであるから、引用発明１の生体センサー５４からの信号の解析処理において、引用文献４に記載された生体センサーの一種である脳波センサーからの信号の解析処理のように、感知すべき対象物がないときの解析データを事前に得ておくこと、及び、目標探索対象を探索した際のものと感知すべき対象物がないときの解析データとを比較して、目標探索対象を発見したかどうかを判定することを適用して、相違点３に係る補正発明とすることは、当業者が容易になし得たことである。
　エ　請求人の主張について
　請求人は、審判請求書において、
「本願の請求項１の発明と引用文献１を比較すると、本願補正後の請求項１の発明は、検査対象物のにおいのサンプルを与えられていない、通常の精神生理学状態にある探知犬の精神生理学的反応を検知、記録するステップが含まれており、探知犬が特定目的物を発見したかどうかの判定は、探知犬の、探索時の精神生理学的反応、通常の状態での精神生理学的反応、検査対象物のにおいのサンプルを与えられたときの精神生理学的反応の３つを比較することで行われます。 
　一方で、引用文献１は、探知犬の、探索時の精神生理学的反応と、前もって判定された検査対象物のにおいを感知した際の精神生理学的反応との、２つを比較することで、探知犬が特定目的物を発見したかどうかの判定を行うものであり、本願発明のような、探知犬の通常の状態での精神生理学的反応を判定、記録するステップ、およびそれを探索時の精神生理学的反応と比較するステップは明記されていません。
　引用文献２〜４にも、特定目的物の探索において、探知犬の、探索時の精神生理学的反応、通常の状態での精神生理学的反応、検査対象物のにおいのサンプルを与えられたときの精神生理学的反応の３つを比較するという方法についての記載はありません。」（６頁下から４行〜７頁１２行）と主張している。
　しかしながら、引用文献１〜４に記載されていないと請求人が主張する「探知犬の通常の状態での精神生理学的反応を判定、記録するステップ、およびそれを探索時の精神生理学的反応と比較するステップ」に相当する構成は、上記ウのとおり、引用文献４に記載されており、かつ、引用発明１と上記引用文献４に記載の構成とは、同一技術分野のものであって、上記請求人が記載がないとする構成については、上記ウで検討したとおり、当業者が容易になし得たことであるから、請求人の主張は採用できない。
　オ　小括
　以上のとおり、補正発明は、引用発明１及び引用文献２〜４に記載の事項や周知慣用技術に基いて、当業者が容易に発明をすることができたものであるから、特許法第２９条第２項の規定により特許出願の際独立して特許を受けることができないものである。
　
３　補正の却下の決定のむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、補正の却下の決定の結論のとおり決定する。
  
　
第３　本願発明
１　本願発明
　平成３０年１２月１２日にされた手続補正は、上記第２のとおり却下されたので、本願の請求項１に係る発明は、平成２９年１１月１５日にされた手続補正により補正された特許請求の範囲の請求項１に記載された事項により特定される、上記第２の［理由］１（２）に記載のとおりのものである。
　
２　原査定の拒絶の理由
　原査定の拒絶の理由は、
「１．（進歩性）この出願の請求項１に係る発明は、その出願前に日本国内又は外国において、頒布された刊行物である引用文献１〜４に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものである。
　なお、引用文献１〜４は、上記第２の［理由］２に記載した引用文献１〜４と同じである。
３　引用文献
　原査定の拒絶の理由で引用された引用文献１〜４の記載事項は、上記第２の［理由］２（３）ア〜エに記載したとおりである。
４　対比・判断
　本願発明の発明特定事項を実質的に全て含み、さらに構成を付加した補正発明が、前記第２の［理由］２（４）〜（５）で検討したとおり、引用発明１及び引用文献２〜４に記載の事項や周知慣用技術に基いて、当業者が容易に発明をすることができたものであるから、本願発明も、同様の理由により、引用発明１及び引用文献２〜４に記載の事項や周知慣用技術に基いて、当業者が容易に発明をすることができたものである。
第４　むすび
　以上のとおり、本願発明は、引用発明１及び引用文献２〜４に記載の事項や周知慣用技術に基いて、当業者が容易に発明をすることができたものであるから、特許法第２９条第２項の規定により特許を受けることができないものであり、よって、本願は拒絶すべきものである。
 　よって、結論のとおり審決する。